(57)【要約】      （修正有）【課題】  ブロー成形ボトルのボトル底壁の強度を増大させ、成形サイクルを上げた際に、ブロー成形時、或いはライン上において発生する、ボトルの軸方向に働く力によるボトル底壁の膨らみを防止し、成形不良を少なくするようにしたブロー成形ボトルを提供すること。【解決手段】  口部1と胴部2と底部3とからなるブロー成形ボトルＡであって、底部は、接地端壁4と、該接地端壁からドーム状にボトル内方に窪んでいる底壁とからなり、底壁は、少なくとも一本の基礎凹リブ6と、該基礎凹リブに交差する少なくとも一本の交差リブ7が形成されている。【選択図】  図１
2005343481.tif 000002
【特許請求の範囲】
【請求項１】
口部と胴部と底部とからなるブロー成形ボトルであって、
底部は、接地端壁と、該接地端壁からドーム状にボトル内方に窪んでいる底壁とからなり、
底壁は、少なくとも一本の基礎凹リブと、該基礎凹リブに交差する少なくとも一本の交差リブが形成されていることを特徴とするブロー成形ボトル。
【請求項２】
基礎凹リブは、パーティングラインに平行もしくは直交して設けられていることを特徴とする請求項１記載のブロー成形ボトル。
【請求項３】
基礎凹リブ、交差リブは、その断面形状が、傾斜壁と平坦壁とからなる台形状リブ、または円弧壁により形成された円弧状リブであることを特徴とする請求項１、２項記載のブロー成形ボトル。
【発明の詳細な説明】
【技術分野】
【０００１】
本発明は、連続的に押出されるパリソンを吹込み成形により成形したブロー成形ボトルに関するものである。
【背景技術】
【０００２】
シャンプー、リンス、化粧料、薬剤、調味料等の充填されるブロー成形ボトルのすわりを良くするために、接地端壁と、該接地端壁からボトル内方に窪ませた底壁とからなる底部を備えたボトルは、従来より周知である（例えば、特許文献１参照）。
【特許文献１】特公昭５８−７４４７号公報
【発明の開示】
【発明が解決しようとする課題】
【０００３】
現在、生産性を上げる為に、成形サイクルを上げることが試みられているが、従来のブロー成形ボトルの底壁を単にボトル内方に窪ませた構造では、成形サイクルを上げた際に、ブロー成形時、或いはライン上において、ボトル底部に軸方向に働く力が生じ、図５に示すように、成形ボトルＡａのボトル底壁ａが膨らんで、成形不良品が発生するという問題があった。
【０００４】
本発明は、上記問題を解決することを課題として、ブロー成形ボトルのボトル底壁の強度を増大させ、成形サイクルを上げた際に、ブロー成形時、或いはライン上において発生する、ボトルの軸方向に働く力によるボトル底壁の膨らみを防止し、成形不良を少なくするようにしたブロー成形ボトルを提供することを目的とする。
【課題を解決するための手段】
【０００５】
本発明は、上記の課題を解決するため、ブロー成形ボトルとして、口部と胴部と底部とからなるブロー成形ボトルであって、底部は、接地端壁と、該接地端壁からドーム状にボトル内方に窪んでいる底壁とからなり、底壁は、少なくとも一本の基礎凹リブと、該基礎凹リブに交差する少なくとも一本の交差リブが形成されていることを特徴とする構成を採用する。
【０００６】
リブの実施例として、基礎凹リブは、パーティングラインに平行もしくは直交して設けられていることを特徴とする構成を採用する。
【０００７】
また、リブの断面形状として、傾斜壁と平坦壁とからなる台形状リブ、または円弧壁により形成された円弧状リブであることを特徴とする構成を採用する。
【発明の効果】
【０００８】
本発明のブロー成形ボトルは、ブロー成形ボトル底部のボトル内方に窪ませた底壁に、少なくとも一本の基礎凹リブと、基礎凹リブと交差する少なくとも一本の交差リブを設けたことにより、ボトル底部の強度を増大させ、成形サイクルを上げた際に、ブロー成形時、或いはライン上において発生するボトルの軸方向に働く力による底壁の膨らみを防止し、成形不良品を少なくすることができた。
そのことにより、連続的に押出されるパリソンを吹込み成形において、成形サイクルを上げ、生産性の増大が図れるようになった。
【発明を実施するための最良の形態】
【０００９】
次に、本発明のブロー成形ボトルについて説明する。
本ブロー成形ボトルは、シャンプー、リンス、化粧料、薬剤、調味料等が充填されるボトル底部の底壁を補強するもので、図面を参照して説明する。
【００１０】
図１、２に示すように、本発明のブロー成形ボトルＡは、口部１と、横断面楕円状の胴部２、および底部３とから構成されている。
【００１１】
底部３は、接地端壁４と、該接地端壁４からドーム状にボトル内方に窪んでいる底壁５により形成されている。
【００１２】
図３に示すように、底壁５には、楕円の長径方向に延びるパーティングラインＰＬ上に延びる基礎凹リブ６と、該基礎凹リブ６に交差する複数の交差リブ７が形成されている。
【００１３】
基礎凹リブ６、交差リブ７の横断面形状は、図４（ａ）に示すように、傾斜壁８と、平坦壁９とからなる断面台形状となっているが、図４（ｂ）に示すように、円弧壁１０によって形成された断面円弧状であってもよい。
【００１４】
次に、本ブロー成形ボトルの作用効果について説明する。
本ブロー成形ボトルは、底壁５に、基礎凹リブ６と交差リブ７をほぼ直角に交差するように設けたことにより、パーティングラインＰＬの方向、および直交する方向に対する応力を増加し、底壁５の強度が増強されているので、底壁５に対して、ボトル軸方向に働く力に対する抗力が大きくなっている。
したがって、生産性を高めるために、成形サイクルを早くしても、底壁５が変形することがなくなった。
【００１５】
また、基礎凹リブ６と交差リブ７を、パーティングラインＰＬに平行もしくは直交するように設けることにより、ブロー金型（図示せず）からの離型がスムースになり生産性が向上した。
【００１６】
上記実施例では、成形ボトルは、横断面が楕円形の成形ボトルであるが、断面円形、或いは角形の成形ボトルであってもよく、同様に底壁の補強効果を得ることができる。
また、上記実施例では、図３に示すように、基礎凹リブ６をパーティングラインＰＬ上に一個設け、基礎凹リブ６と直交する三つの交差リブ７を設けたが、基礎凹リブ６を複数個設けてもよく、交差リブ７が最低一つあればよく、さらに、基礎凹リブ６と交差リブ７が任意の角度で交差していることによっても、同様に補強効果が得られる。
【産業上の利用可能性】
【００１７】
ブロー成形ボトル底部の底壁を補強し、成形サイクルが上がるようにしているので、ブロー成形ボトルの生産性を高めることができた。
また、ボトル底部が補強されているので、シャンプー、リンス、化粧料、薬剤、調味料等の液体が充填される容器として利用できる。
さらにまた、容器の容量を大きくすることができる。
【図面の簡単な説明】
【００１８】
【図１】本発明実施例のブロー成形ボトルを示す一部破断立面図である。
【図２】ブロー成形ボトル底部の一部破断側面図である。
【図３】ブロー成形ボトルの下面図である。
【図４】ブロー成形ボトルの基礎凹リブ、交差リブの実施例を示すもので、（ａ）は台形状リブ、（ｂ）は円弧状リブの横断端面図である。
【図５】従来例のブロー成形ボトルの底部の断面正面図である。
【符号の説明】
【００１９】
Ａ、Ａａ  ブロー成形ボトル
１        口部
２        胴部
３        底部
４        接地端壁
５、ａ    底壁
６        基礎凹リブ
７        交差リブ
８        傾斜壁
９        平坦壁
１０      円弧壁
【図１】
2005343481.tif 000003
【図２】
2005343481.tif 000004
【図３】
2005343481.tif 000005
【図４】
2005343481.tif 000006
【図５】
2005343481.tif 000007